【事件の表示】
　特許第３４２８７１１号「情報処理システム」の請求項１、３、４に係る特許に対する特許異議の申立てについて、次のとおり決定する。
【結　論】
　訂正を認める。
　特許第３４２８７１１号の請求項１、３、４に係る特許を維持する。
【理　由】
１．手続の経緯
　特許第３４２８７１１号に係る発明についての出願は、平成５年１２月２９日の特許出願であって、平成１５年５月１６日にその発明について特許の設定登録がなされ、その後、その特許請求の範囲における請求項１，３，４に係る発明について、異議申立人小湊勇次より特許異議の申立てがなされ、取消理由通知がなされ、その指定期間内である平成１６年５月２５日に訂正請求書及び特許異議意見書が提出されたものである。
　　
２．訂正の適否について
（１）訂正の内容
　平成１６年５月２５日付けの訂正請求書による訂正事項は、次の（ａ），（ｂ）に示されるとおりである。
　
（ａ）特許請求の範囲の請求項３の記載
　「【請求項３】夫々表示操作部を備え各種機能を実現する装置を接続してなる情報処理システムであって、前記情報処理システム中の１つの装置の前記表示操作部からシステムを構成する任意の装置の機能を制御可能とする機能制御手段を備え、該機能制御手段は各装置間で操作内容を交互に送受し各システム構成装置で操作内容の追加、削除、修正を可能とすることを特徴とする情報処理システム。」
　を、
　「【請求項３】夫々表示操作部を備え各種機能を実現する装置を接続してなる情報処理システムであって、前記複数の装置は夫々、前記情報処理システム中の１つの装置の前記表示操作部からシステムを構成する任意の装置の機能を制御可能とする機能制御手段を備え、前記機能制御手段は、前記複数の装置の処理機能を選択するための選択画面を前記表示操作部に表示させ、前記選択画面により選択された処理機能を実行する装置を選択し、選択された装置に上記選択された処理機能を実行させ、前記機能制御手段は各装置間で前記表示操作部により設定された操作内容を交互に送受し各システム構成装置で操作内容の追加、削除、修正を可能とすることを特徴とする情報処理システム。」
　に訂正する。
（ｂ）明細書の段落番号【０００６】の記載
　「【０００６】または、夫々表示操作部を備え各種機能を実現する装置を接続してなる情報処理システムであって、前記情報処理システム中の１つの装置の前記表示操作部からシステムを構成する任意の装置の機能を制御可能とする機能制御手段を備え、該機能制御手段は各装置間で操作内容を交互に送受し各システム構成装置で操作内容の追加、削除、修正を可能とすることを特徴とする。」
　を、
「【０００６】または、夫々表示操作部を備え各種機能を実現する複数の装置を接続してなる情報処理システムであって、前記複数の装置は夫々、前記情報処理システム中の１つの装置の前記表示操作部からシステムを構成する任意の装置の機能を制御可能とする機能制御手段を備え、前記機能制御手段は、前記複数の装置の処理機能を選択するための選択画面を前記表示操作部に表示させ、前記選択画面により選択された処理機能を実行する装置を選択し、選択された装置に上記選択された処理機能を実行させ、前記機能制御手段は各装置間で前記表示操作部により設定された操作内容を交互に送受し各システム構成装置で操作内容の追加、削除、修正を可能とすることを特徴とする。」
　に訂正する。
　
（２）訂正の目的の適否、新規事項の有無及び拡張・変更の存否
　上記訂正事項（ａ）は、願書に添付した明細書に記載された事項の範囲内において訂正するものであり、特許請求の範囲の減縮に該当し、新規事項の追加に該当しない。
　上記訂正事項（ｂ）は、願書に添付した明細書に記載された事項の範囲内において訂正するものであり、明りょうでない記載の釈明に該当し新規事項の追加に該当しない。
　そして、上記訂正は、実質上特許請求の範囲を拡張し、変更するものでもない。
　
（３）以上のとおりであるから、上記訂正は、特許法第１２０条の４第３項において準用する平成６年法律１１６号による改正前の特許法第１２６条第１項ただし書き、第２項及び第３項の規定に適合するので、当該訂正を認める。
　　
３．特許異議の申立てについて
　異議申立人小湊勇次は、証拠として
甲第１号証（特開平２−２４１２６５号公報）
甲第２号証（特開平４−１７３２８２号公報）
を提出し、本件請求項１，３，４に係る発明は、甲第１号証に記載された発明に基いて当業者が容易に発明をすることができたものであるから、もしくは甲第１号証及び甲第２号証に記載された発明に基づいて当業者が容易に発明をすることができたものであるから、特許法第２９条第２項の規定により特許を受けることができないものであり、したがって、本件請求項１，３，４に係る発明の特許を取消すべき旨主張している。
　　
４．本件発明
　本件請求項１，３，４に係る発明は、その特許請求の範囲の請求項１，３，４に記載された次のとおりのものである。
　　
【請求項１】夫々表示操作部を備え、各種機能を実現する複数の装置を接続してなる情報処理システムであって、
　前記複数の装置は夫々、前記情報処理システム中の１つの装置の表示操作部からその装置及び他の装置の処理機能を制御する機能制御手段を備え、
　前記機能制御手段は、前記複数の装置の処理機能を選択するための選択画面を前記表示操作部に表示させ、前記選択画面により選択された処理機能を実行する装置を選択し、選択された装置に上記選択された処理機能を実行させることを特徴とする情報処理システム。
　
【請求項３】夫々表示操作部を備え各種機能を実現する複数の装置を接続してなる情報処理システムであって、前記複数の装置は夫々、前記情報処理システム中の１つの装置の前記表示操作部からシステムを構成する任意の装置の機能を制御可能とする機能制御手段を備え、前記機能制御手段は、前記複数の装置の処理機能を選択するための選択画面を前記表示操作部に表示させ、前記選択画面により選択された処理機能を実行する装置を選択し、選択された装置に上記選択された処理機能を実行させ、前記機能制御手段は各装置間で前記表示操作部により設定された操作内容を交互に送受し各システム構成装置で操作内容の追加、削除、修正を可能とすることを特徴とする情報処理システム。
　
【請求項４】請求項３記載の情報処理システムにおいて、操作内容には特定のＩＤ番号を付加し、当該ＩＤ番号により交互に操作内容を呼出し可能とすることを特徴とする情報処理システム。
　
５．引用刊行物記載の発明
（１）当審で通知した取消理由に引用した刊行物１（特開平２−２４１２６５号公報）（甲第１号証）には、次のような発明が記載されている。
　「情報処理装置と、これに接続されて情報の入力又は出力装置として使用されると共に単体でも使用できる入出力機器とからなる情報処理システムにおいて、前記情報処理装置と入出力機器の何れにも、該入出力機器の動作条件を設定するための設定命令入力手段と、該手段によって設定された結果を互いに連携して表示する表示手段とをそれぞれ設けた情報処理システム。」
　
（２）当審で通知した取消理由に引用した刊行物２（特開平４−１７３２８２号公報）（甲第２号証）には、次のような発明が記載されている。
　「使用者コードを入力する入力手段と、上記使用者コードに対応し、画像形成に関する画像形成条件の種々の設定値を記憶する記憶手段と、上記入力手段から入力される使用者コードを受信する受信手段と、この受信手段で受信した使用者コードに対応する設定値を上記記憶手段から読出す読出手段と、この読出手段により読出した設定値にて所定の画像形成を行う画像形成手段と、を具備した画像形成装置。」
　
６．対比・判断
（６．１）請求項１，３に係る発明と刊行物１，２に記載された発明とを対比すると、
　刊行物１，２に記載された発明はいずれも、請求項１に記載された発明の構成に欠くことができない事項の一部である
　「前記機能制御手段は、前記複数の装置の処理機能を選択するための選択画面を前記表示操作部に表示させ、前記選択画面により選択された処理機能を実行する装置を選択し、選択された装置に上記選択された処理機能を実行させること」について開示しない。
　そして、請求項１，３に係る発明は、上記発明の構成に欠くことができない事項を有することにより、明細書記載の「システムを構成する機器から他の構成機器を制御することが可能となり、この制御方法も処理機能を各機器の表示操作部から選択可能であるため、作業者は各機器の機能を理解する必要はなく、行いたい処理内容を指定するのみで自動的に各機器が得意な処理を分担し、あるいは処理が混み合っている時には処理を分担し、システムを最大限に利用した処理を行うことが可能となる。」という顕著な効果を奏するものであるから、請求項１，３に係る発明は、刊行物１，２に記載された発明であるとも、刊行物１，２に記載された発明に基いて当業者が容易に発明をすることができた発明であるともいえない。
　
（６．２）請求項４に係る発明と刊行物１，２に記載された発明とを対比すると、
　請求項４に係る発明は請求項３を引用するものであるから、先の項「６．１」で述べたと同じ理由により、請求項４に係る発明は、刊行物１，２に記載された発明であるとも、刊行物１，２に記載された発明に基いて当業者が容易に発明をすることができた発明であるともいえない。
　
７．むすび
　以上のとおりであるから、特許異議申立の理由及び証拠によっては、本件請求項１，３，４に係る発明の特許を取り消すことができない。
　また、他に本件請求項１，３，４に係る発明の特許を取り消すべき理由を発見しない。
　
　よって、結論のとおり決定する。
【異議決定日】
平成１６年６月１５日（２００４．６．１５）
【訂正の要旨】
審決（決定）の【理由】欄参照。
（５４）【発明の名称】
情報処理システム
（５７）【特許請求の範囲】
　【請求項１】　夫々表示操作部を備え、各種機能を実現する複数の装置を接続してなる情報処理システムであって、
　前記複数の装置は夫々、前記情報処理システム中の１つの装置の表示操作部からその装置及び他の装置の処理機能を制御する機能制御手段を備え、
　前記機能制御手段は、前記複数の装置の処理機能を選択するための選択画面を前記表示操作部に表示させ、前記選択画面により選択された処理機能を実行する装置を選択し、選択された装置に上記選択された処理機能を実行させることを特徴とする情報処理システム。
　【請求項２】　前記複数の機器の処理機能を管理する機能テーブルを備え、前記機能制御手段は、前記機能テーブルを参照することにより前記選択画面により選択された処理機能を実行する装置を選択することを特徴とする請求項１記載の情報処理システム。
　【請求項３】　夫々表示操作部を備え各種機能を実現する
複数の
前記複数の装置は夫々、
前記機能制御手段は、前記複数の装置の処理機能を選択するための選択画面を前記表示操作部に表示させ、前記選択画面により選択された処理機能を実行する装置を選択し、選択された装置に上記選択された処理機能を実行させ、前記
前記表示操作部により設定された
　【請求項４】　請求項３記載の情報処理システムにおいて、操作内容には特定のＩＤ番号を付加し、当該ＩＤ番号により交互に操作内容を呼出し可能とすることを特徴とする情報処理システム。
【発明の詳細な説明】
　【０００１】
　【産業上の利用分野】
　本発明は例えばコンピュータ、複写機、ファクシミリ装置、ファイリング機器などの夫々表示部を備え各種機能を実現する複数の機器を交互に接続してなる情報処理システムに関するものである。
　【０００２】
　【従来の技術】
　従来のこの種のシステム機器では、システム操作は決められた１つの機器から行うのが一般的であった。また操作方法も各機器を直接制御する方法が一般的である。
　【０００３】
　【発明が解決しようとする課題】
　しかし上記従来例では数多くの機器がシステム統合した場合、システムを操作する際に作業者が操作が可能な特定の機器の所まで行って操作しなければならず非常に面倒であった。また、直接機器を制御する方法であるため、作業者が各機器の機能を完全に把握していないとシステムを最大限に利用する事ができないと言う問題点があった。
　【０００４】
　例えば、ホストコンピュータよりシステムに接続されている複写機を遠隔操作したような場合には、この操作を他の所で修正することはできず、いちいちホストコンピュータの所まで出向かなければならず、この間が離れているような場合に非常に問題であった。
　【０００５】
　【課題を解決するための手段】
　本発明は上述の課題を解決することを目的としてなされたもので、夫々表示操作部を備え、各種機能を実現する複数の装置を接続してなる情報処理システムであって、前記複数の装置は夫々、前記情報処理システム中の１つの装置の表示操作部からその装置及び他の装置の処理機能を制御する機能制御手段を備え、前記機能制御手段は、前記複数の装置の処理機能を選択するための選択画面を前記表示操作部に表示させ、前記選択画面により選択された処理機能を実行する装置を選択し、選択された装置に上記選択された処理機能を実行させることを特徴とする。更に、前記複数の機器の処理機能を管理する機能テーブルを備え、前記機能制御手段は、前記機能テーブルを参照することにより前記選択画面により選択された処理機能を実行する装置を選択する。
　【０００６】
　または、夫々表示操作部を備え各種機能を実現する
複数の
前記複数の装置は夫々、
前記機能制御手段は、前記複数の装置の処理機能を選択するための選択画面を前記表示操作部に表示させ、前記選択画面により選択された処理機能を実行する装置を選択し、選択された装置に上記選択された処理機能を実行させ、前記
前記表示操作部により設定された
　【０００７】
　そして例えば操作内容には特定のＩＤ番号を付加し、当該ＩＤ番号により交互に操作内容を呼出し可能とすることを特徴とする。
　【０００８】
　【作用】
　以上の構成において、システムを構成する装置から他の構成装置を制御することが可能となる。またこの制御方法も処理機能を各表示操作部から選択する事になるため、作業者は各装置の機能を理解する必要はなく、行いたい処理内容を操作する事で自動的に各機器が得意な処理を分担し、あるいは処理が混みあっている時には処理を分担し、システムを最大限に利用した処理を行う事が可能となる。
　【０００９】
　【実施例】
　以下、図面を参照して本発明に係る一実施例を詳細に説明する。
　［第１実施例］
　図１は本発明に係る一実施例におけるローカルエリアネットワークを介して異なる機能を有する各機器を互いに接続してなる情報処理システムの構成例を示す図であり、各構成には表示操作部が付属している。なお、図１では全ての機器に表示操作部が設けられているが、一部の機器のみに備える構成であっていもよい。この場合には、表示操作部を有する機器のみが後述する他の各機器の制御が行えることになる。
　【００１０】
　図１において、１１０は表示操作部１１１を備えたホストコンピュータ、１２０は表示操作部１２１を備えた複写機、１３０は表示操作部１３１を備えたファイリング機器、１４０は表示操作部１４１を備えた画像入力装置であり、例えば、スキャナ装置、フレキシブルディスク装置（ＦＤ）、光磁気ディスク装置（ＭＯＤ）、ＣＤＲＯＭ等で構成でき、図１には１つのみ示したが、本実施例においては以上のいずれの装置もＬＡＮ１７０に接続されている。
　【００１１】
　また、１５０は表示操作部１５１を備えた画像出力装置、１６０は表示操作部１６１を備えたファクシミリ装置である。また、１７０は各構成を互いに接続するローカルエリアネットワーク（ＬＡＮ）である。各機器は係るＬＡＮ１７０を介して互いに通信可能に構成されている。
　本実施例で採用するＬＡＮ１７０は、イーサネットＬＡＮ接続を実現している。しかし、以上の例に限定されるものではなく、他のＬＡＮ接続方式、例えばトークリング方式や、メモリ共有方式等のインタフェース技術を採用しても差し支えないことは明らかである。
　【００１２】
　図１に示す各構成は、表示操作部からシステムを構成する任意の機器の機能を制御可能とする機能制御手段を備え、該機能制御手段は表示操作部にその機器及び他の各機器の処理機能の選択画面を表示させ、該選択画面に基づいた機能の選択により選択入力された機器が適切な処理を各機器に分担させて処理可能に構成されている。この本実施例の構成を複写機１２０を例として以下に説明する。
　【００１３】
　図２に複写機１２０の詳細構成例を示す。図２において、表示操作部１０００、スキャナ２０００及び制御部４０００は、それぞれＣＰＵ，ＲＯＭ，ＲＡＭ，Ｉ／Ｏ手段を有していて、ＲＯＭ内に記憶された制御プログラムに基づいて、各系を構成する部品の動作制御を行っている。
　表示操作部１０００は、複写機のユーザインタフェース部を制御するためのものであり、ＬＣＤ表示部１１００へのメッセージ表示とユーザのキー操作の認識を行っている。表示操作部１０００のＣＰＵ１２００は、制御部４０００のＣＰＵ４１００とシリアル伝送線を介してデータ通信を行っており、ユーザの操作に応じた複写動作の実行と、複写動作に応じたメッセージの表示を可能にしている。
　【００１４】
　例えば、プリンタ部６０００の紙搬送部６２００で紙詰まりが発生した場合、即ちコピー終了予定時刻に紙搬送部内に紙が残っている場合、ＣＰＵ４１００はＩ／Ｏ４２００からのセンサ入力によって紙あり状態を検知し、紙詰まりメッセージ番号をＣＰＵ１２００に通知する。ＣＰＵ１２００は、ＲＯＭ１４００内に記憶されている紙詰まりメッセージ番号に対応した文字コード列を読み込み、各文字コードに対応するビットマップ形式の文字パターンをＲＯＭ１４００から捜し出し、そのパターンをＶＲＡＭ１３００に展開する。ＣＰＵ１２００はＶＲＡＭ１３００の内容をＬＣＤ表示部１１００に転送しメッセージの表示が完了する。
　【００１５】
　制御部４０００は図２に示す本実施例複写機の全体制御を司り、複写機の各系の制御を統括する。制御部４０００と各系を接続するローカルバスは、ＩＥＥＥ８０２．３の媒体アクセス制御（ＭＡＣ）を受持つローカルバスである。
　図３は操作パネル１０００の外観図である。図３において、５００１は操作内各ユニットへの通電を制御する電源スイッチである。５００２はリセットキーでであり、スタンバイ中は標準モードに復帰させるキーとして動作する。５００３はコピースタートキーである。５００４はクリアキーであり、数値をクリアするときに用いる。５００５はＩＤキーであり、このＩＤキー５００５により特定の操作者に対して複写動作を可能にし、上記以外の操作者に対してはＩＤキーによりＩＤを入力しない限り複写動作を禁止することが可能となる。
　【００１６】
　５００６はストップキーであり、コピーを中断したり、中止したりするときに用いるキーである。５００７はガイドキーであり、各機能を知りたいときに使用するキーである。５００８は上カーソルキーであり、各機能設定画面においてポインタを上に移動させるキーである。５００９は下カーソルキーであり、各機能設定画面においてポインタを下に移動させるキーである。
　【００１７】
　５０１０は右カーソルキーであり、各機能設定画面においてポインタを右に移動させるキーである。５０１１は左カーソルキーであり、各機能設定画面においてポインタを左に移動させるキーである。５０１２はＯＫキーであり、各機能設定画面において、設定した内容が表示通りで良い場合にこのキーを押す。５０１３は各機能設定画面において、５０５２に示す画面の右下に出力されたことを実行する時にこのキーを押す。５０１４は定形縮小キーであり、定形サイズを他の定形サイズに縮小するときに使用する。
　【００１８】
　５０１５は等倍キーであり、等倍コピーを選択するときに使用する。５０１６は定形拡大キーであり、定形サイズを他の定形サイズに拡大するときに使用する。５０１７はカセット選択キーであり、コピーするカセット段を選択する。５０１８はコピー濃度調整キーであり、濃度を薄くする時に使用する。５０１９はＡＥキーであり、原稿の濃度に対しコピー濃度を自動的に調整する。５０２０はコピー濃度調整キーであり、濃度を濃くする時に使用する。
　【００１９】
　５０２１はソータの動作を指定するキーである。５０２２は予熱キーであり、予熱モードのＯＮ／ＯＦＦに使用する。５０２３は割り込みキーであり、コピー中に割り込みしてコピーを行いたいときに押す。５０２４はテンキーであり、数値の入力を行うときに使用する。５０２５はマーカー処理キーであり、トリミング、マスキング、部分処理（輪郭処理、網処理、影付け処理、ネガポジ処理等）を設定する。
　【００２０】
　５０２６はパターン化処理キーであり、色をパターン化して表現したり、色を濃度差で表現したりするときに使用する。５０２７は色消去キーであり、特定色を消去したいときに使用する。５０２８は画質キーであり、画質の設定を行いたいときに使用する。５０２９はネガポジキーであり、ネガポジ処理を行うときに使用する。５０３０はイメージクリエイトキーであり、輪郭処理、影付け処理、網処理、斜体、ミラー処理、リピート処理等を行うときに使用する。
　【００２１】
　５０３１はトリミングキーであり、エリアを指定しトリミングをするときに使用する。５０３２はマスキングキーであり、エリアを指定しマスキングをするときに使用する。５０３３は部分処理キーであり、エリアを指定しその後指定部分処理（輪郭処理、網処理、影付け処理、ネガポジ処理等）を指定する。５０３４は枠消しキーであり、モードに合わせて枠消しを行うときに使用する。モードは、シート枠消し（シートサイズに対して枠を作成する）、原稿枠消し（原稿サイズに合わせて枠を作成する。原稿サイズ指定有り）、ブック枠消し（ブックの見開きサイズに合わせて枠と中央に空白を作成する。ブック見開きサイズ指定有り）がある。
　【００２２】
　５０３５は綴じ代キーであり、用紙の一端に綴じ代を作成したいときに使用する。５０３６は移動キーであり、移動を行いたいときに使用する。移動には、平行移動（上下左右）、センター移動、コーナー移動、指定移動（ポイント指定）がある。５０３７はズームキーであり、複写倍率を２５％〜４００％まで、１％刻みで設定できる。また、主走査、副走査を独立に設定できる。５０３８はオート変倍キーであり、複写紙のサイズに合わせて自動的に拡大縮小する。また、主走査、副走査を独立にオート変倍できる。５０３９は拡大連写キーであり、１枚の原稿を複数枚に拡大して複写を行うときに使用する。
　【００２３】
　５０４０は縮小レイアウトキーであり、複数の原稿を１枚に拡大縮小して複写を行うときに使用する。５０４３は連写キーであり、原稿台ガラス面の複写領域を左右に２分割し、自動的に２枚のコピーをする連続複写を行いたいときに使用する（ページ連写、両面連写）。５０４４は両面キーであり、両面の出力を行いたいときに使用する（片面両面、ページ連写両面、両面両面）。
　【００２４】
　５０４５は多重キーであり、多重を行いたいときに使用する（多重、ページ連写多重）。５０４６はメモリキーであり、メモリを使用したモードを行いたいときに使用する（メモリ合成、エリア合成、すかし合成）。５０４７はプロジェクタキーであり、プロジェクタを使用するときに使用する。５０４８はプリンタキーであり、プリンタ時の設定を行うときに使用する。
　【００２５】
　５０５０は原稿混載キーであり、フィーダーを使用してコピーを取るとき原稿差異画が混載しているときに使用する。５０５１はモードメモリキーであり、複写設定された複写モードを登録するために登録された複写モードを呼び出すときに使用する。５０５２は表示画面であり、装置の状態、複写枚数、複写倍率、複写用紙サイズを表示し、複写モード設定中では設定する内容を表示する。
　【００２６】
　図４は、本実施例の図２に示す複写機１２０の構造を示す断面図である。図４において、１は原稿給送手段となる原稿給送装置であり、載置された原稿を１枚ずつ或いは２枚連続に原稿台ガラス面２上の所定位置に給送する。３はランプ、走査ミラー５等で構成される図２の原稿走査部２１００に相当する原稿走査部であり、原稿給送装置１により原稿が原稿台ガラス面２に載置されると、原稿走査部３が所定方向に往復走査されて原稿反射光を走査ミラー５〜７を介してレンズ８を通過してイメージセンサ部９に結像する。
　【００２７】
　１０はレーザスキャナ部で構成される露光制御部であり、コントローラ部の画像信号制御部から出力される画像データに基づいて変調された光ビームを感光体１１に照射する。１２，１３は現像器であり、感光体１１に形成された静電潜像を所定色の現像材（トナー）で可視化する。１４，１５は被転写紙積載部であり、定形サイズの記録媒体が積載収納され、給送ローラの駆動によりレジストローラ配設位置まで給送されて感光体１１に形成される画像との画像先端合わせタイミングをとられた状態で再給紙される。
　【００２８】
　１６は転写分離帯電器であり、感光体１１に現像されたトナー像を被転写紙に転写した後に感光体１１より分離して搬送ベルトを介して定着部１７で定着される。１８は画像形成の終了した被転写紙をトレー２０に積載排紙する排紙ローラ、１９は方向フラッパであり、画像形成の終了した被転写紙の搬送方向を排紙口と内部搬送方向に切り換え、多重／両面画像形成プロセスに備える。
　【００２９】
　図２に示す画像処理部２５００では、露光系の動作によって、或は外部装置かＬＡＮインタフェース３０００経由で受信することによって得た画像データに数々の処理が加えられる。この図２に示す画像処理部２５００の詳細構成を図５に示す。
　図５において、原稿画像は光学的走査機構である原稿走査部２１００によって走査され、図４に示すイメージセンサ部９に配置されたＣＣＤに入力される。ＣＣＤから順次送られてくる画素の濃度に応じた電気信号（アナログ）は、まず図５に示すＡ／Ｄ変換部２５０２で濃度に応じたレベルのデジタル信号に変換される。
　【００３０】
　その後、黒オフセット補正部２５０３でＣＣＤアナログ増幅部の黒濃度におけるオフセットばらつきを補正するための黒オフセットのばらつきを補正する。次にシェーディング補正部２５０４で原稿照明ランプの光量分布のばらつき等を補正するためのデジタル信号のレベルを補正する。そしてシェーディング補正された信号を一時的にラインメモリ（記憶装置）２５０５に貯える。原稿位置認識部２５０７では、シェーディング補正後の信号を用いて原稿が原稿台のどの位置に置かれているかを認識する。
　【００３１】
　本実施例においては、画像信号をラインメモリ２５０５に書き込むタイミング、及びラインメモリ２５０５から読み出すタイミングを変えることにより、画像の変倍、移動処理が行われる。また、ラインメモリ２５０５から画像信号を読み出す時に読み出し方を換えることにより、鏡像、切り出し、リピート処理等が行われる。ラインメモリ２５０５から読み出された信号は、シャープネス／フィルタ／輪郭処理部２５０６へ送られる。
　【００３２】
　シャープネス／フィルタ／輪郭処理部２５０６では、画素毎の濃度レベルを演算することにより各処理が行われ、処理が行われたデジタル画像信号は濃度処理部２５０９へ送られる。濃度処理部２５０９では送られてきたデジタル信号のレベルを複写機のコピー濃度設定情報に応じて変換しトリム／マスク・ネガ／ポジ処理部２５１０に出力する。
　【００３３】
　トリム／マスク・ネガ／ポジ処理部２５１０のネガ／ポジ処理部では、デジタル信号のレベルを反転させて出力する。トリム／マスク処理では指定されている領域の信号或は領域外の信号を指定された濃度レベルに変えることによりトリム或はマスクの処理を行う。そして処理を施したデジタル画像信号をアドオン処理部２５１１に出力する。
　【００３４】
　アドオン処理部２５１１では、予め文字情報が記憶されているメモリから指定された文字の情報を読み出し、指定した箇所に画像信号の代わりに出力する。この最終の８ビットのデジタル信号はプリンタ部６０００へ送られ、レーザをＯＮ／ＯＦＦさせることにより、感光ドラム上に明部、暗部を再現させる。
　一方、スキャナ２０００内部には複数ページ分の原稿画像情報を記憶するための画像メモリであるＲＡＭ２３００があり、ＣＣＤによって走査された原稿画像や、ホストコンピュータ１１０からＬＡＮ１７０を介して転送されてきた画像データを記憶するために用いられる。
　【００３５】
　例えば、複写機がリモートコントロールモードで動作している場合には、ＬＡＮ１７０に接続されている外部装置からＬＡＮインタフェース部３０００を経由して送られてくる画像データは、制御部４０００のＣＰＵ４１００とスキャナ２００のＣＰＵ２２００によってＲＡＭ２３００に転送される。尚、ＣＰＵ４１００とＣＰＵ２２００はＣＰＵに内蔵されたデュアルポートＲＡＭを介して通信を行う。
　【００３６】
　また画像処理部２５００内のセレクタ２５０１は、制御部４０００のＣＰＵ４１００からのコマンドに従ったＣＰＵ２２００の制御によって切り変えられており、ＲＡＭ２３００内のビットマップデータがプリンタ部６０００に直接転送されるようになっている。
　更に、ＣＣＤによって読みとられた画像データを逐次画像処理部２５００で処理した後に、画像メモリ２３００に転送して記憶させ、その画像データを制御部４０００のＣＰＵ４１００及びＬＡＮインタフェース部３０００を経由して外部装置に送出することが可能である。この場合にはセレクタ２５０１はチャンネル２に切り換えられており、ＣＣＤからのアナログ信号はＡ／Ｄ変換器２５０２、黒オフセット補正２５０３、シェーディング補正２５０４、セレクタ２５０１を経てＣＰＵ２２００に転送される。
　【００３７】
　ＣＰＵ２２００は光学的走査手段２１００内での走査位置情報に基づいて、セレクタ２５０１から送出されるデータを順次ＲＡＭ２３００内の適当な領域に格納する。走査が終了したら、ＣＰＵ２２００はＣＰＵ４１００に対して走査終了を通知する。ＣＰＵ４１００はＣＰＵ２２００に対してＲＡＭ２３００内の画像データ引き取り要求コマンドを送信し、その後ＣＰＵ２２００から送られてくる画像データを受け取り、必要に応じてＬＡＮインタフェース３０００を介して外部装置に送出する。
　【００３８】
　このようにして本実施例の複写機１２０は、外部装置の周辺機器としてのデジタルプリンタ、デジタル原稿スキャナ、更にスタンドアロンのデジタル複写機として機能する。各機能への切り換え制御は、外部装置から転送される制御コマンドや、操作部から入力される動作モード選択操作に基づいて行われる。
　図２の３０００はＬＡＮインタフェース部であり、シリアルインタフェース３１００、ＬＡＮコントローラ３２００、バスコントローラ３３００、ＬＡＮコネクタ３４００とから構成される。
　【００３９】
　ＬＡＮコントローラは、ＬＡＮインタフェース部３００内の各コンポーネントの統括制御を行い、ＣＰＵ、プログラムＲＯＭ、作業用ＲＡＭ、ＦＩＦＯバッファを内包している。ＩＥＥＥ８０２．３の媒体アクセス制御（ＭＡＣ）を受持つ制御部４０００のローカルバスとは、バスコントローラ３３００を介して結合される。即ち、制御部４０００の制御用ＣＰＵ４１００はＬＡＮインタフェース部３０００に対して特定のＩ／Ｏ空間を通してアクセスする。この際のデータ受渡しにバスコントローラ３３００が用いられる。また、不図示のＦＩＦＯバッファは送受信時のデータを一時蓄積しておくためのものである。ＦＩＦＯバッファの容量を大きくすることにより、より転送速度の速い通信に対応することが可能となる。
　【００４０】
　シリアルインタフェース３１００は、シリアルデータの送受信及びＣＳＭＡ／ＣＤに代表される衝突検出等を行う。ここではＬＡＮコントローラ３２００内部で処理されたデータをマンチェスタエンコードによって、イーサーネット用のデータにし、またマンチェスタデコードによってイーサーネット上のデータをＬＡＮコントローラ３２００内部でのデータフォーマットに変換する。変換されたデータはＬＡＮコネクタ３４００を介してＬＡＮ１７０上に送出される。
　【００４１】
　本実施例で採用するＬＡＮインタフェース部３０００は、イーサネットＬＡＮ接続を実現し、また複写動作を制御するＣＰＵ４１００とＬＡＮインタフェース部３０００のデータ通信にはＩ／Ｏ方式を用いている。
　図６は制御部４０００のＣＰＵ４１００が実行する、通信制御プログラムの構成を示す図である。
　【００４２】
　本実施例で採用する通信制御プログラムは、ＯＳＩ（開放型システム間相互接続）に対応した構成を持つ。即ち、アプリケーション層制御７００１、プレゼンテーション層制御７００２、セッション層制御７００３、トランスポート層制御７００４、ネットワーク層制御７００５、データリンク層制御（媒体アクセス制御手段−ＭＡＣ、論理リンク制御手段−ＬＬＣを副）７００６のためのプログラムモジュールから構成されている。
　【００４３】
　そして、データ送信要求が発生した場合には、各層におけるプログラムモジュールは１階層下に位置するプログラムモジュールにデータを引き渡す。この際送信データにはプロトコル制御情報が付け加えられる、受信する側では対応する階層に応じて余分なプロトコル制御情報をデータから取外し、１階層上のプログラムモジュールにデータを引き渡す。
　【００４４】
　ＬＡＮネットワーク上には、図１に示す様にこれと同一のプロトコルをサポートするホストコンピュータ１１０や、大容量記憶装置デアルファイリング装置１３０、画像出力装置１５０等が接続されるため、本複写機１２０とそれらの機器相互間でのデータ通信が可能である。
　（操作手順）
　次に本実施例の中心である操作手順及び手順に従ったシステム制御について説明する。ここでは、上述した図１に示すＬＡＮネットワーク及び図２に示す複写機１２０のネットワークにおける操作手順及び手順に従ったシステム制御を説明する。なお、ＬＡＮ１７０に接続されている各構成についての詳細説明は省略する。
　【００４５】
　操作はどの機器からでも共通に行う事が可能であるが、ここでは図２に示すデジタル複写機の表示操作部１０００を使用した例について説明する。以下の説明は図７を使用して説明する。例えばＬＡＮ１７０に接続されている各機器毎の機能を後述する機能テーブルとして各機器毎に備えれば、各機器のいずれからも以下に述べる処理選択が同様の制御で可能となる。
　【００４６】
　表示操作部１０００には通常、複写機能の標準画面が表示されており、スタンドアロンで使用する場合にはこの画面を使用する。しかしシステムを利用して複合的な処理を行う場合には６００１に示すシステムキーを選択する。６００１でシステムキーを選択すると６００２でデータ選択画面が表示され、ここでデータ選択画面に従って使用するデータをどこから読み込むか、あるいはどのファイルを使用するかを選択する。
　【００４７】
　例えば、図１の例では、ホストコンピュータ１１０、複写機１２０、ファイリング装置１３０、画像入力装置１４０（後述する様に３種類の画像入力装置がある。）等の内のいずれかを選択することになる。具体的には、６００３に示すスキャナ２０００から新たに原稿画像読み込む処理、６００４に示すフレキシブルディスク装置（ＦＤ）から記憶されている画像を読み込む処理、６００５に示す光磁気ディスク装置（ＭＯＤ）から記憶された画像を読み込む処理、６００６に示すＣＤＲＯＭから記憶画像を読み込む処理のいずれかの処理を選択する事になる。
　【００４８】
　各々を選択した後の実際の操作手順（例えばＦＤの場合には、ドライブを選択したり、ファイル名を選択したり等の選択手順等）は一般的な事項であるためここでは詳細説明を省略する。処理を行うファイルが選択されたら、６００８で処理内容を選択する。この時、表示部には出力（６００９）、編集（６０１０）、画像処理（６０１１）、のいずれかを選択する。出力（６００９）を選択した場合には次に出力先を選択する。
　【００４９】
　例えばファクシミリ装置１６０よりのファックス送信（６０１２）、画像出力装置１５０またはプリンタ部６０００よりのプリント（６０１３）、ファイリング装置１３０等の他の記憶デバイス（６０１４）を選択する。プリントを選択した場合には続いて複数のプリンタが接続されている時にはプリンタを選択する（６０１５）。例えば、画像出力装置１５０またはプリンタ部６０００のいずれかを選択する。また他の記憶デバイス（６０１４）を選択した場合には続いて記憶デバイスの種類、ドライブ等を選択する。
　【００５０】
　編集（６０１０）を選択した場合には、次に編集の内容を選択する事になる。編集には数多くの種類があるが、本実施例では合成（６０１６）、移動（６０１７）を選択する。選択後の処理については省略する。
　画像処理（６０１１）を選択した場合には次に処理内容を選択する。例えば本実施例では画像をぼかしたりするフィルタリング処理（６０１８）、画像全体の濃度を調整する濃度調整処理（６０１９）、を選択する。フィルタリング処理が選択された時には、次に高速処理を希望するか（６０２０）、処理には時間がかっても自在な微調を行いたいか（６０２１）、選択する。高速処理を希望した時には、高速処理で処理可能なフィルタリング係数の選択枝が表示され、その中から選択し実行する。高精彩処理（６０２１）を選択した場合には、おおよその実行時間を表示すると共に微調可能なフィルタリング係数の選択枝が表示され選択し、実行する。濃度調整（６０１９）を選択した場合にも同様な高速・高精彩の選択を行い、実行する事になる。
　【００５１】
　以上の説明では、図１に示す各構成がネットワーク化された場合の操作手順について説明したが、その他の機器がネットワークされた時には、異なったフローになる事は言うまでもない。
　本実施例の操作手順でポイントとなる点は、例えば画像処理（６０１１）において高速処理（６０２０）と高精彩処理（６０２１）を選択する例である。高速処理（６０２０）を選択するとディジタル複写機の持つフィルタリングの高速ハードウェア処理が選択される。
　【００５２】
　一方、高精彩処理（６０２１）が選択されると、複写機１２０内で処理するよりも、ＬＡＮ１７０に接続されている他の機器、即ちこの場合にはホストコンピュータ１１０がその有する処理パワーでフィルタリング処理を行う方が処理が容易かつ早いと判断し、この処理をＬＡＮ１７０を介してホストコンピュータ１１０に送りここで処理した後処理済みデータをＬＡＮ１７０を介して受信することになる。
　【００５３】
　つまり作業者はシステム全体のなかで、最適の機器を、各機器を把握する事なしに使いこなす事が可能となる。また例えばプリンタが複数台接続されていたときには、出力するプリンタを選択可能な事は通常のネットワークと同様であり、その他本操作手順では説明しなかったが、ファクシミリの持つ画像処理もファクシミリを意識せずに使えるようにする事は簡単である。例えば中間調処理選択の画面を作る事により、その中からファクシミリの持つ、例えばジェネシス処理、デジタル複写機の持つその他の誤差拡散処理、コンピュータが行う自在な画像処理、を選択する事が可能である。
　【００５４】
　また例えば、像域分離処理などはデジタル複写機のハードウェアで大まかに行っておき、その後ホストコンピュータ１１０で繊細に像域分離を行う事が可能である。ただし本実施例のように、処理を各機器が分担するようにすると、画像情報をそのつど各機器に転送する必要が生じてくる。そのため画像情報をシステム間で高速に転送可能なインタフェースを構築する必要がある。
　【００５５】
　以上の処理の振り分けは、各構成のＣＰＵが独自に行うわけであるが、この振り分けは例えば以下の方法で行うこと等が考えられる。即ち、ＬＡＮ１７０に接続されている各装置の有している各機能をその処理能力と共にネットワークテーブルと共に各構成毎に備え、機器がＬＡＮ１７０に接続される毎にこの機能テーブルを更新する様にし、選択画面で処理が選択された時にこの機能テーブルを参照して処理先を特定すればよい。なお、このテーブル更新制御は公知の方法で達成できる。
　【００５６】
　以上説明した様に本実施例によれば、システムを利用する利用者にとって、自分の近くにある機器からシステムをコントロールできると共に、各機器を把握しなくても実行させたい機能のみを選択することで各機器の機能を最大限に利用する事が可能になる。
　本実施例ではＣＰＵパワーによるＬＡＮインタフェースについて説明したが、例えば画像転送状態になったら、インタフェースを占有し、高周波で一度に画像を多ビットで転送可能な用に構築しておけば、画像情報の高速転送が可能である。いずれの方法でも本発明の主旨には影響を与えない。
　【００５７】
　以上説明した様に本実施例によれば、システムを利用する利用者にとって、自分の近くにある機器からシステムをコントロールできると共に、各機器を把握しなくても実行させたい機能のみを選択することで各機器の機能を最大限に利用する事が可能になる。
　［第２実施例］
　次に図８を参照して本発明に係る第２実施例を詳細に説明する。第２実施例においても基本構成は上述した図１〜図６に示す第１実施例と同様である。第２実施例においては、操作により設定された内容に対して専用のＩＤ番号を割り振って登録する。以下、第２実施例における操作手順を以下に説明する。
　【００５８】
　以下の説明は、図８の（Ａ）に６０１で示す、ようなフォーマットの原稿を頻繁に複写する場合を具体例として行う。図８の（Ａ）に示す原稿において、下部に示されている棒グラフはカラーで表されている。
　この図８の（Ａ）に示す原稿を図２に示す複写機の表示操作部１０００よりの操作で複写しようとする場合において、上部の「市場調査」の文字部分を強調するために、この部分に太らせ処理を行い、カラーの棒グラフの所には色パターン化変換（色の違いに応じて異なったパターンでパターン化する）を行うものとする。
　【００５９】
　以上の操作手順を具体的な画像を図８を参照して以下に説明する。
　以下の説明は、図８の（Ａ）に６０１で示す、ようなフォーマットの原稿を頻繁に複写する場合を具体例として行う。図８の（Ａ）に示す原稿において、下部に示されている棒グラフはカラーで表されている。
　この図８の（Ａ）に示す原稿を図２に示す複写機の表示操作部１０００よりの操作で複写しようとする場合において、上部の「市場調査」の文字部分を強調するために、この部分に太らせ処理を行い、カラーの棒グラフの所には色パターン化変換を行うものとする。
　【００６０】
　この時作業者は、複写機１２０の図３に示す表示操作部１００の前に行き、スキャナ読み取りを選択する。そして次に原稿６０１に対するエリア指定を行う。例えば、「市場調査」の文字の部分をエリア指定し、棒グラフの部分にもエリア指定を行う。このエリア指定をした状態を図８の（Ｂ）に示す。６０２に示す様に例えばエリア指定１として市場調査部分を、エリア指定２として棒グラフ部分を指定する。
　【００６１】
　そしてこのようにしてエリア指定した各エリアに対する所望の処理を設定する。即ち、エリア１には太らせ処理を行い、エリア２には色パターン化変換処理を行う様に設定する。
　これに対応してＣＰＵ４１００は各設定に対してそれぞれ専用のＩＤを付加する。そして自装置内のメモリ内等に格納しておく。そして上述した第１実施例と同様にして対応する処理を最適な装置で実行する。この結果を図８の（Ｃ）に６０３で示す。なお、この時、この処理内容を規定したＩＤは例えばファイリング装置１３０内等に格納しておくことが望ましい。なお、この設定に従った実際の処理を続けて同時に行ってもよいが、この処理の設定のみをここで行っておき、実際の処理は別の機会に行う様にすることもできる。
　【００６２】
　そしてその後、例えば数日経過した後に前記フォーマットの原稿複数部を複数枚複写する必要が生じた場合を想定する。この場合には、作業者が例えば他の装置であるホストコンピュータ１１０より専用のＩＤのみを指定入力するのみで、複写機１２０にこのＩＤを問い合わせて、またはファイリング装置１３０にこのＩＤを問い合わせて、先の操作で指定した操作内容を読み出すことができる。そして操作装置（ホストコンピュータ１１０）内のメモリに格納する。
　【００６３】
　そして、この呼び出した内容を表示操作部１１１に表示させ、この表示を見ながら両面指定、複写部数、ステイプルソート、濃度設定等の操作内容を付加し、前と異なったＩＤを付加して登録することができる。即ち、ＬＡＮ１７０に接続されたどの機器からもいずれかの装置で設定されたＩＤを入力するのみで読み出すことができ、これを再設定することができる。このＩＤの読み出しは、指示入力のあった機器のＣＰＵよりＬＡＮを介して他の機器に送り、当該ＩＤに対応付けて格納された設定内容を保持している機器が自装置にて記憶していることを報知して指示入力のあった機器に送ればよい。
　【００６４】
　次に作業者は原稿を持って複写機１２０（または原稿を読み込むことのできる機器）の前に行き、所望の処理内容に対応したＩＤを入力することによって操作内容を読み出し、原稿をセットして複写用紙サイズ等を選択し、複写をスタートさせる。これにより、図８の（Ｃ）に示す複写結果が得られることになる。
　以上の説明におけるＩＤはシステムで重複しない様に機器で自動的に割り振り、表示部に表示して操作者に知らせることが望ましい。または、操作者が入力し、他に重複したＩＤが無いかを機器で自動的に検索する様にしてもよい。
　【００６５】
　以上説明した様に第２実施例によれば、複写の度毎に画像処理内容の全てを設定し直す必要がなくなり、ＬＡＮに接続されているいずれの機器からも設定内容を読み出して変更等することができる。即ち、複写機１２０で使用した操作内容をホストコンピュータ１１０等のＬＡＮ接続装置にフィードバックし、設定したＩＤに対応付けて記憶させ、モードメモリとして使用することも可能である。
　【００６６】
　また例えば、ホストコンピュータ１１側において複雑な操作設定を行い、複写機側からは簡単な操作を行って複写スタートさせることが簡単に行える。このため、複写機側の表示操作部を簡単なものとできる。また、この場合においても、ホストコンピュータ１１０側で設定した後、複写機で実際に原稿を読み込ますまでの間に、他のものが複写機を操作しても、何ら問題は起きず、複写機を操作する時にＩＤを入力するのみで足りる。
　【００６７】
　なお以上の説明は複写機での処理を中心に説明したが、ＬＡＮに接続されている他の機器、例えば画像出力装置１５０や画像入力装置１４０、あるいはファクシミリ装置１６０であっても全く同様の操作を行うことができる。また、第２実施例と同様の処理内容の設定もできることは勿論である。
　なお、本発明は、複数の機器から構成されるシステムに適用しても、１つの機器から成る装置に適用しても良い。また、本発明はシステム或は装置にプログラムを供給することによって達成される場合にも適用できることは言うまでもない。
　【００６８】
　【発明の効果】
　以上説明したように本発明によれば、システムを構成する機器から他の構成機器を制御することが可能となり、この制御方法も処理機能を各機器の表示操作部から選択可能であるため、作業者は各機器の機能を理解する必要はなく、行いたい処理内容を指定するのみで自動的に各機器が得意な処理を分担し、あるいは処理が混みあっている時には処理を分担し、システムを最大限に利用した処理を行う事が可能となる。
【図面の簡単な説明】
　【図１】
　本発明に係る一実施例のシステム構成例を示す図である。
　【図２】
　図１に示す複写機の詳細ブロック構成図である。
　【図３】
　図２に示す複写機の操作パネルの外観図である。
　【図４】
　図２に示す複写機の断面時図である。
　【図５】
　図２に示すスキャナ内部の画像処理部のブロック図である。
　【図６】
　本実施例で実行される通信プログラムの構成図である。
　【図７】
　本実施例システムにおける制御手順を説明するための図である。
　【図８】
　本実施例システムにおける制御手順における実際の操作内容を説明するための図である。
　【符号の説明】
　１　　原稿給送装置
　３　　原稿走査部
　９　　イメージセンサ部
　１０　　露光制御部
　１１　　感光体
　１２，１３　　現像器
　１４，１５　　被転写紙積載部
　１６　　転写分離帯電器
　１７　　定着部
　１８　　ローラ
　１９　　方向フラッパ
　１１０　　ホストコンピュータ
　１１１，１２１，１３１，１４１，１５１，１６１　　表示操作部
　１２０　　複写機
　１３０　　ファイリング機器
　１４０　　画像入力装置
　１５０　　画像出力装置
　１６０　　ファクシミリ装置
　１７０　　ローカルエリアネットワーク（ＬＡＮ）
　１０００　　表示操作部
　１１００　　ＬＣＤ表示部
　１２００，２２００，４１００　　ＣＰＵ
　１３００，２３００　　ＲＡＭ
　１４００　　ＲＯＭ
　２０００　　スキャナ
　２１００　　原稿走査部
　２５００　　画像処理部
　３０００　　ＬＡＮインタフェース
　３１００　　シリアルインタフェース
　３２００　　ＬＡＮコントローラ
　３３００　　バスコントローラ
　４０００　　制御部
　４２００　　Ｉ／Ｏ
　６０００　　プリンタ部
　６１００　　画像形成部
　６２００　　紙搬送部